(57)【要約】【課題】  導光板の出射面から良好な輝度分布の光を照射することが可能な照明装置および当該照明装置を備える表示装置を提供する。【解決手段】  一実施形態に係る照明装置は、レーザー光を発する第１及び第２光源と、これら光源からの光がそれぞれ照射される第１及び第２端部、入射した光を反射する第１面および当該光が出射する第２面を有する導光板とを備える。導光板は、中央部分と、第２光源からの光が高輝度で第２面から出射する第１部分と、第１光源からの光が高輝度で第２面から出射する第２部分とを有する。中央部分は、第１端部側から第２端部側に向かって第１光源からの光が第２面から出射する際の輝度が順次高くなり、且つ第２端部側から第１端部側に向かって第２光源からの光が第２面から出射する際の輝度が順次高くなる輝度傾斜特性を有する。【選択図】  図８
2020113427.tif 000002
【特許請求の範囲】
【請求項１】
レーザー光を発する第１光源および第２光源と、
前記第１光源からの光が照射される第１端部、前記第２光源からの光が照射される第２端部、前記第１端部および前記第２端部から入射した光を反射する第１面、および、前記第１面で反射された光が出射する第２面を有する導光板と、を備え、
前記導光板は、
前記第１端部と前記第２端部の間に位置する中央部分と、
前記第１端部と前記中央部分の間に位置し、前記第２光源からの光が前記第１光源からの光よりも高輝度で前記第２面から出射する第１部分と、
前記第２端部と前記中央部分の間に位置し、前記第１光源からの光が前記第２光源からの光よりも高輝度で前記第２面から出射する第２部分と、を有し、
前記中央部分は、前記第１端部側から前記第２端部側に向かって前記第１光源からの光が前記第２面から出射する際の輝度が順次高くなり、且つ前記第２端部側から前記第１端部側に向かって前記第２光源からの光が前記第２面から出射する際の輝度が順次高くなる輝度傾斜特性を有する、
照明装置。
【請求項２】
前記中央部分において、前記第１面は、前記第１光源からの光を反射して前記第２面から出射させる複数の第１反射面、および、前記第２光源からの光を反射して前記第２面から出射させる複数の第２反射面を含み、
前記複数の第１反射面の面積または密度は、前記第１部分から前記第２部分に近づくに連れて大きくなり、
前記複数の第２反射面の面積または密度は、前記第２部分から前記第１部分に近づくに連れて大きくなる、
請求項１に記載の照明装置。
【請求項３】
前記第１反射面が前記第２面に対して傾く角度と、前記第２反射面が前記第２面に対して傾く角度とが同じである、
請求項２に記載の照明装置。
【請求項４】
前記第１面は、隣り合う前記第１反射面間、或いは隣り合う前記第２反射面間において、前記第２面と平行な平坦面を含む、
請求項２または３に記載の照明装置。
【請求項５】
前記第２面は、平面であり、
前記導光板は、前記第１端部から前記中央部分に向けて厚さが増し、かつ前記第２端部から前記中央部分に向けて厚さが増す形状を有する、
請求項１ないし４のうちいずれか１項に記載の照明装置。
【請求項６】
前記第１部分において、前記第１面は、前記第２端部に対向する第３反射面を有し、かつ前記第１端部に対向する反射面を有さない、
請求項１ないし５のうちいずれか１項に記載の照明装置。
【請求項７】
前記第２部分において、前記第１面は、前記第１端部に対向する第４反射面を有し、かつ前記第２端部に対向する反射面を有さない、
請求項１ないし６のうちいずれか１項に記載の照明装置。
【請求項８】
請求項１ないし７のうちいずれか１項に記載の照明装置と、
前記第２面に対向し、前記第２面から出射する光を用いて画像を表示する表示パネルと、
を備える表示装置。
【請求項９】
前記導光板と前記表示パネルの間に配置されたプリズムシートをさらに備え、
前記プリズムシートは、前記導光板に向けて突出する複数のプリズムを有する、
請求項８に記載の表示装置。
【発明の詳細な説明】
【技術分野】
【０００１】
本発明の実施形態は、照明装置および表示装置に関する。
【背景技術】
【０００２】
例えば、液晶表示装置などの表示装置は、画素を有する表示パネルと、表示パネルを照明するバックライトなどの照明装置とを備えている。照明装置は、光を発する光源と、この光源からの光が照射される導光板とを備えている。光源からの光は、導光板の端部から導光板内に入り、導光板内を伝播し、導光板の一方の主面に相当する出射面から出射する。例えば特許文献１に開示されたように、導光板の両端部の近傍にそれぞれ光源を配置した照明装置も知られている。
【０００３】
また、例えば特許文献２に開示されたように、導光板の両端部の近傍にそれぞれレーザー光を放つ光源を配置した照明装置が提案されている。このような構成においては、一方の光源からの光が、他方の光源に近い導光板の領域から主に出射する。
【先行技術文献】
【特許文献】
【０００４】
【特許文献１】特開２０１５−４１４３９号公報
【特許文献２】特開２０１８−４５９９０号公報
【発明の概要】
【発明が解決しようとする課題】
【０００５】
上述のようにレーザー光を放つ光源を用いた照明装置においては、光源に近い側の領域と遠い側の領域とで、当該光源からの光が導光板から出射する輝度が大きく異なる。したがって、一方の光源からの光が強く出射する領域と、他方の光源からの光が強く出射する領域との位置関係がずれると、導光板の中央部分に暗線や明線が生じ得る。
【０００６】
本発明は、導光板の出射面から良好な輝度分布の光を照射することが可能な照明装置および当該照明装置を備える表示装置を提供することを目的の一つとする。
【課題を解決するための手段】
【０００７】
一実施形態に係る照明装置は、レーザー光を発する第１光源および第２光源と、前記第１光源からの光が照射される第１端部、前記第２光源からの光が照射される第２端部、前記第１端部および前記第２端部から入射した光を反射する第１面、および、前記第１面で反射された光が出射する第２面を有する導光板と、を備えている。前記導光板は、前記第１端部と前記第２端部の間に位置する中央部分と、前記第１端部と前記中央部分の間に位置し、前記第２光源からの光が前記第１光源からの光よりも高輝度で前記第２面から出射する第１部分と、前記第２端部と前記中央部分の間に位置し、前記第１光源からの光が前記第２光源からの光よりも高輝度で前記第２面から出射する第２部分と、を有している。前記中央部分は、前記第１端部側から前記第２端部側に向かって前記第１光源からの光が前記第２面から出射する際の輝度が順次高くなり、且つ前記第２端部側から前記第１端部側に向かって前記第２光源からの光が前記第２面から出射する際の輝度が順次高くなる輝度傾斜特性を有する。
【０００８】
一実施形態に係る表示装置は、前記照明装置と、前記第２面に対向し、前記第２面から出射する光を用いて画像を表示する表示パネルと、を備えている。
【図面の簡単な説明】
【０００９】
【図１】図１は、第１実施形態に係る表示装置の概略的な構成を示す斜視図である。
【図２】図２は、第１実施形態に係る表示装置の概略的な断面図である。
【図３】図３は、第１実施形態に係る照明装置の概略的な平面図である。
【図４】図４は、第１実施形態に係る照明装置において、第１光源が放つ光と第２面の輝度との関係を説明するための平面図である。
【図５】図５は、第１実施形態に係る導光板から出射する光の輝度の一例を示すグラフである。
【図６】図６は、第１実施形態に係る導光板から出射する光の輝度の他の例を示すグラフである。
【図７】図７は、図６に示す合成光の輝度分布を模式的に表す第２面の平面図である。
【図８】図８は、第１実施形態に係る導光板の概略的な断面図である。
【図９】図９は、第１実施形態に係る導光板の中央部分の拡大断面図である。
【図１０】図１０は、第１実施形態に係る導光板の第１部分の拡大断面図である。
【図１１】図１１は、第１実施形態に係る導光板の第２部分の拡大断面図である。
【図１２】図１２は、第２実施形態に係る導光板の中央部分の拡大断面図である。
【図１３】図１３は、第３実施形態に係る照明装置の一例を示す断面図である。
【図１４】図１４は、第３実施形態に係る照明装置の他の例を示す断面図である。
【図１５】図１５は、第３実施形態に係る照明装置のさらに他の例を示す断面図である。
【図１６】図１６は、第４実施形態に係る照明装置の概略的な断面図である。
【図１７】図１７は、第５実施形態に係る照明装置の概略的な断面図である。
【発明を実施するための形態】
【００１０】
いくつかの実施形態につき、図面を参照しながら説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一または類似の要素については符号を省略することがある。また、本明細書と各図において、既出の図に関して前述したものと同一または類似した機能を発揮する構成要素には同一の参照符号を付し、重複する詳細な説明を省略することがある。
【００１１】
各実施形態においては、表示装置の一例として、透過型の液晶表示装置を開示する。また、照明装置の一例として、液晶表示装置のバックライトを開示する。ただし、各実施形態は、他種の表示装置や照明装置に対する、各実施形態にて開示される個々の技術的思想の適用を妨げるものではない。他種の表示装置としては、例えば、透過型の機能に加えて外光を反射してこの反射光を表示に利用する反射型の機能を備えた液晶表示装置や、Micro Electro Mechanical System（ＭＥＭＳ）シャッターが光学素子として機能する機械式表示パネルを有する表示装置などが想定される。他種の照明装置としては、例えば、表示装置の前面に配置されるフロントライトなどが想定される。また、照明装置は、表示装置の照明とは異なる用途で使用されるものであってもよい。
【００１２】
［第１実施形態］  
図１は、第１実施形態に係る表示装置１の概略的な構成を示す斜視図である。表示装置１は、例えば、スマートフォン、タブレット端末、携帯電話端末、パーソナルコンピュータ、テレビ受像装置、車載装置、ゲーム機器、ウェアラブル端末等の種々の装置に用いることができる。
【００１３】
表示装置１は、表示パネル２と、バックライトである照明装置３と、表示パネル２を駆動する駆動ＩＣチップ４（コントローラ）と、表示パネル２および照明装置３へ制御信号を伝達するフレキシブル回路基板ＦＰＣ１，ＦＰＣ２とを備えている。例えば、フレキシブル回路基板ＦＰＣ１，ＦＰＣ２は、表示パネル２および照明装置３の動作を制御する制御モジュールに接続されている。
【００１４】
表示パネル２は、第１基板ＳＵＢ１（アレイ基板）と、第１基板ＳＵＢ１に対向する第２基板ＳＵＢ２（対向基板）とを備えている。表示パネル２は、画像を表示する表示領域ＤＡを有している。表示パネル２は、例えば、表示領域ＤＡにおいてマトリクス状に配列された複数の画素ＰＸを備えている。
【００１５】
照明装置３は、第１光源ＬＳ１と、第２光源ＬＳ２と、第１基板ＳＵＢ１に対向する導光板ＬＧとを備えている。第１光源ＬＳ１は導光板ＬＧの一方の側面に対向し、第２光源ＬＳ２は導光板ＬＧの他方の側面に対向している。図１においては各光源ＬＳ１，ＬＳ２を１つずつ示しているが、実際には複数の第１光源ＬＳ１と複数の第２光源ＬＳ２とが設けられている（図３参照）。
【００１６】
図１に示すように、第１方向Ｘ、第２方向Ｙおよび第３方向Ｚを定義する。各方向Ｘ，Ｙ，Ｚは、例えば互いに直交する。本開示においては、表示装置１を第３方向Ｚと平行な方向から見ることを平面視と呼ぶ。また、Ｘ−Ｚ平面と平行な表示装置１の断面を見ることを断面視と呼ぶ。図１の例において、各基板ＳＵＢ１，ＳＵＢ２および導光板ＬＧは、第１方向Ｘに沿う長辺と、第２方向Ｙに沿う短辺とを有しており、平面視における形状が長方形である。但し、各基板ＳＵＢ１，ＳＵＢ２および導光板ＬＧの形状はこれに限定されず、平面視における形状が正方形や円形など他の形状であってもよい。
【００１７】
図２は、Ｘ−Ｚ平面と平行な表示装置１の概略的な断面図である。表示パネル２は、シール材ＳＬと、液晶層ＬＣと、第１偏光板ＰＬ１と、第２偏光板ＰＬ２とをさらに備えている。各基板ＳＵＢ１，ＳＵＢ２は、シール材ＳＬにより貼り合わされている。液晶層ＬＣは、シール材ＳＬおよび各基板ＳＵＢ１，ＳＵＢ２の間に封入されている。
【００１８】
第１偏光板ＰＬ１は、第１基板ＳＵＢ１の下面（導光板ＬＧと対向する面）に貼付されている。第２偏光板ＰＬ２は、第２基板ＳＵＢ２の上面（第１基板ＳＵＢ１と対向しない面）に貼付されている。各偏光板ＰＬ１，ＰＬ２の偏光軸は、例えば互いに直交する。
【００１９】
導光板ＬＧは、第１面５１と、第１面５１の反対側の第２面５２と、第１端部５３と、第１端部５３の反対側の第２端部５４とを有している。表示パネル２は、第２面５２と対向している。第１光源ＬＳ１は第１端部５３に対向し、第２光源ＬＳ２は第２端部５４に対向している。第１光源ＬＳ１と第１端部５３の間や第２光源ＬＳ２と第２端部５４の間に、各光源ＬＳ１，ＬＳ２からの光の幅や角度を調整するためのレンズなどの光学素子がさらに配置されてもよい。
【００２０】
導光板ＬＧは、第１方向Ｘにおいて第１端部５３と第２端部５４の間に位置する中央部分ＣＰと、第１端部５３と中央部分ＣＰの間に位置する第１部分Ｐ１と、第２端部５４と中央部分ＣＰの間に位置する第２部分Ｐ２とを有している。
【００２１】
中央部分ＣＰは、導光板ＬＧの第１方向Ｘにおける中心Ｃを含む。第１部分Ｐ１は、第１端部５３から中央部分ＣＰに向けて厚さが増す形状を有する。第２部分Ｐ２は、第２端部５４から中央部分ＣＰに向けて厚さが増す形状を有する。図２の例においては、第２面５２が平面である。したがって、導光板ＬＧの厚さの変化は、第１面５１の形状変化に起因する。導光板ＬＧは、例えば中心Ｃを含むＹ−Ｚ平面に関して面対称の形状である。図２の例では、中央部分ＣＰにおいて第１面５１と第２面５２が平行であるが、実際には第１面５１が後述の図８に示すような形状を有している。また、第２面５２には、各光源ＬＳ１，ＬＳ２からの光を反射するための反射構造が設けられている。
【００２２】
第１光源ＬＳ１は、第１照射方向ＤＬ１を中心とした広がりを持つ拡散光を第１端部５３に照射する。第２光源ＬＳ２は、第２照射方向ＤＬ２を中心とした広がりを持つ拡散光を第２端部５４に照射する。各照射方向ＤＬ１，ＤＬ２は、例えば反対の方向であり、第１方向Ｘと平行である。各光源ＬＳ１，ＬＳ２の発光素子としては、例えば偏光したレーザー光を放つ半導体レーザーなどのレーザー光源を用いることができる。
【００２３】
各光源ＬＳ１，ＬＳ２は、それぞれ異なる色の光を発する複数の発光素子を備えてもよい。例えば、各光源ＬＳ１，ＬＳ２が赤色、緑色、青色の光を発する３つの発光素子をそれぞれ備えれば、これらの色の混合色（例えば白色）の光を得ることができる。
【００２４】
表示装置１は、表示パネル２と導光板ＬＧの間に、プリズムシートＰＳを備えている。さらに、表示装置１は、プリズムシートＰＳと表示パネル２の間に、拡散シートＤＳ（拡散層）を備えている。例えば、プリズムシートＰＳは、第２方向Ｙと平行に延びる多数のプリズムＰａを備えている。これらのプリズムＰａは、例えばプリズムシートＰＳの下面（導光板ＬＧと対向する面）に形成され、導光板ＬＧに向けて突出している。但し、これらのプリズムＰａは、プリズムシートＰＳの上面（表示パネル２と対向する面）に形成されてもよい。
【００２５】
図２においては、第１光源ＬＳ１が発する光Ｌ１の光路の一例を実線で示し、第２光源ＬＳ２が発する光Ｌ２の光路の一例を破線で示している。第１光源ＬＳ１が発した光Ｌ１は、第１端部５３から導光板ＬＧに入り、各面５１，５２で反射しながら導光板ＬＧを伝播し、やがて第２面５２の全反射条件を外れて第２面５２から出射する。第２光源ＬＳ２が発した光Ｌ２は、第２端部５４から導光板ＬＧに入り、各面５１，５２で反射しながら導光板ＬＧを伝播し、やがて第２面５２の全反射条件を外れて第２面５２から出射する。このように、第２面５２は、光が出射する出射面に相当する。表示パネル２は、第２面５２から出射する光を用いて画像を表示する。
【００２６】
プリズムシートＰＳは、第２面５２から出射した光を第３方向Ｚに実質的に平行な光に変換する。ここで、「第３方向Ｚに実質的に平行な光」は、第３方向Ｚと厳密に平行な光のみならず、第３方向Ｚに対する傾きが、第２面５２から出射した際に比べて、プリズムシートＰＳにより十分に小さく変換された光を含む。各光源ＬＳ１，ＬＳ２からの光の偏光を維持する観点から、プリズムＰａがプリズムシートＰＳの下面に形成されていることが好ましい。プリズムシートＰＳを経た光は、拡散シートＤＳで拡散されて、表示パネル２に照射される。プリズムシートＰＳを通過した光の視野角が狭い場合であっても、この光を拡散シートＤＳで拡散することにより視野角を広げることができる。
【００２７】
なお、各光源ＬＳ１，ＬＳ２からの光が十分に偏光された状態で表示パネル２に到達する場合には、第１偏光板ＰＬ１を省略してもよい。第１偏光板ＰＬ１を省略した場合には、例えば各基板ＳＵＢ１，ＳＵＢ２の透光性を高めることで、表示装置１の背景が透けて見えるいわゆる透明液晶表示装置を得ることができる。
【００２８】
図３は、照明装置３の概略的な平面図である。この図の例においては、第１端部５３に沿って８個の第１光源ＬＳ１が並び、第２端部５４に沿って８個の第２光源ＬＳ２が並んでいるが、光源ＬＳ１，ＬＳ２の数はこれに限定されない。第１光源ＬＳ１が発する光の強度は第１光軸ＡＸ１において最も高く、第２光源ＬＳ２が発する光の強度は第２光軸ＡＸ２において最も高い。
【００２９】
各光源ＬＳ１，ＬＳ２は、図示したように、第２方向Ｙにおいて互い違いに配列されている。すなわち、第１光源ＬＳ１が第１照射方向ＤＬ１に発する光の第１光軸ＡＸ１と、第２光源ＬＳ２が第２照射方向ＤＬ２に発する光の第２光軸ＡＸ２とは、第２方向Ｙにおいて互いにずれている。なお、第１光軸ＡＸ１と第２光軸ＡＸ２が、第２方向Ｙにおいて揃っていてもよい。
【００３０】
図４は、第１光源ＬＳ１が放つ光と、第２面５２の輝度との関係を説明するための平面図である。ここでは、３つの第１光源ＬＳ１と、これらが放つ光とを例示している。本実施形態において、第１光源ＬＳ１が放つ光はレーザー光であるため、指向性および収束性に優れている。したがって、Ｘ−Ｙ平面で見たときには、第２方向Ｙへの広がりが一般的なＬＥＤよりも小さい。そのため、第１部分Ｐ１においては、第１光源ＬＳ１からの光が通らない領域ＮＡが存在する。一方で、中央部分ＣＰおよび第２部分Ｐ２においては、当該光が全域を通る。
【００３１】
第１光源ＬＳ１からの光は、第１部分Ｐ１においては第２面５２の全反射条件を外れにくく、第２面５２からあまり出射しない。一方で、この光は、第２部分Ｐ２においては第２面５２の全反射条件を外れやすく、第２面５２から多く出射する。また、この光は、中央部分ＣＰにおいては第２部分Ｐ２よりも低い輝度で第２面５２から出射する。
【００３２】
なお、第２光源ＬＳ２からの光は、第２部分Ｐ２においては第２面５２からあまり出射せず、第１部分Ｐ１においては第２面５２から多く出射する。このように、第１光源ＬＳ１は主に第２部分Ｐ２における第２面５２を点灯させる役割を担い、第２光源ＬＳ２は主に第１部分Ｐ１における第２面５２を点灯させる役割を担う。
【００３３】
図５および図６は、第２面５２から出射する光の輝度（ＢＲ）の一例を示すグラフである。第１部分Ｐ１において、第１光源ＬＳ１からの光Ｌ１は、極めて低輝度である。光Ｌ１の輝度は、中心Ｃの近傍において急峻に上昇し、第２部分Ｐ２においては高輝度となる。反対に、第２光源ＬＳ２からの光Ｌ２は、第２部分Ｐ２において低輝度であり、中心Ｃの近傍において急峻に上昇し、第１部分Ｐ１において高輝度となる。このように、第１部分Ｐ１においては、第２光源ＬＳ２からの光Ｌ２が第１光源ＬＳ１からの光Ｌ１よりも高輝度で第２面５２から出射する。また、第２部分Ｐ２においては、第１光源ＬＳ１からの光Ｌ１が第２光源ＬＳ２からの光Ｌ２よりも高輝度で第２面５２から出射する。
【００３４】
光Ｌ１，Ｌ２の合成光Ｌの輝度は、図５に示すように第１部分Ｐ１、第２部分Ｐ２および中央部分ＣＰの全体にわたって一定であることが理想的である。しかしながら、中央部分ＣＰにおいて光Ｌ１，Ｌ２それぞれの輝度変化が整合しない場合、合成光Ｌの輝度が中央部分ＣＰにおいて不均一となる。図６においては、光Ｌ１，Ｌ２の双方が中心Ｃにおいて不足し、合成光Ｌの輝度が中心Ｃとその近傍において急峻に低下する例を示している。他の例として、光Ｌ１，Ｌ２の輝度の重なりが中心Ｃにおいて大き過ぎる場合には、合成光Ｌの輝度が中心Ｃとその近傍において急峻に上昇する。
【００３５】
図７は、図６に示す合成光の輝度分布を模式的に表す第２面５２の平面図である。中心Ｃにおいて輝度が低下しているために、第２面５２において中心Ｃに沿う暗線ＤＬが生じる。合成光Ｌの輝度が中心Ｃとその近傍において急峻に上昇する場合には、この暗線ＤＬに代えて明線が生じる。
【００３６】
これら暗線や明線により第２面５２の輝度が不均一になると、表示パネルＰＮＬの画質も低下し得る。本実施形態において、導光板ＬＧは、このような暗線や明線を抑制することが可能な構成を備えている。以下、導光板ＬＧの詳細について説明する。
【００３７】
図８は、本実施形態における導光板ＬＧの概略的な断面図である。導光板ＬＧの第１面５１は、中央部分ＣＰに設けられた第１反射構造６０と、第１部分Ｐ１に設けられた第２反射構造７０と、第２部分Ｐ２に設けられた第３反射構造８０とを有している。各反射構造６０，７０，８０は、例えば下方（第３方向Ｚの反対方向）に向けて突出したプリズムである。
【００３８】
第２反射構造７０の頂点を繋ぐ直線を第１仮想線ＶＬ１と定義し、第３反射構造８０の頂点を繋ぐ直線を第２仮想線ＶＬ２と定義する。第１仮想線ＶＬ１は、第２面５２に対して角度θ１で傾いている。第２仮想線ＶＬ２は、第２面５２に対して角度θ２で傾いている。角度θ１，θ２は、いずれも鋭角である。第２面５２の輝度分布を均一化する観点からは、角度θ１，θ２が同じであることが好ましい。ただし、角度θ１，θ２が異なってもよい。中央部分ＣＰの各第１反射構造６０は、例えば各仮想線ＶＬ１，ＶＬ２よりも第２面５２側に位置している。
【００３９】
図９は、複数の第１反射構造６０を拡大した中央部分ＣＰの断面図である。ここでは、第１部分Ｐ１（図中左方）から第２部分Ｐ２（図中右方）に向けて順に並ぶ６つの第１反射構造６０−１〜６０−６を示しているが、中央部分ＣＰに配置される第１反射構造６０の数はこれに限定されない。例えば、各第１反射構造６０は、図示した断面形状を有して第２方向Ｙに延在している。
【００４０】
第１反射構造６０は、第１反射面６１と、第２反射面６２とを有している。第１反射面６１は、図９の断面の左方にある第１端部５３に対向する平面であり、第１光源ＬＳ１からの光を第２面５２に向けて反射する。第２反射面６２は、図９の断面の右方にある第２端部５４に対向する平面であり、第２光源ＬＳ２からの光を第２面５２に向けて反射する。
【００４１】
ここで、「第１反射面６１が第１端部５３に対向する」とは、第２端部５４側の第１反射面６１の端部と第２面５２との距離が、第１端部５３側の第１反射面６１の端部と第２面５２との距離よりも小さくなるように、第１反射面６１がＸ−Ｙ平面に対して傾斜していることを意味する。後述する第４反射面８１についても同様である。また、「第２反射面６２が第２端部５４に対向する」とは、第１端部５３側の第２反射面６２の端部と第２面５２との距離が、第２端部５４側の第２反射面６２の端部と第２面５２との距離よりも小さくなるように、第２反射面６２がＸ−Ｙ平面に対して傾斜していることを意味する。後述する第３反射面７１についても同様である。
【００４２】
図９の例において、第１反射構造６０は、第１反射面６１と隣接する第１反射面６１との間、或いは、第２反射面６２と隣接する第２反射面６２との間に配置された平坦面６３を有している。平坦面６３は、例えば第２面５２と平行であり、各光源ＬＳ１，ＬＳ２からの光を、第２面５２で全反射される浅い角度で反射する。これにより、第１光源ＬＳ１からの光が中央部分ＣＰを超えて第２部分Ｐ２まで良好に伝播する。同様に、第２光源ＬＳ２からの光が中央部分ＣＰを超えて第１部分Ｐ１まで良好に伝播する。
【００４３】
第１反射面６１は、平坦面６３（または第２面５２）に対して鈍角である角度θａで傾いている。第２反射面６２は、平坦面６３（または第２面５２）に対して鈍角である角度θｂで傾いている。例えば、これら角度θａ，θｂは互いに等しい。この場合、第１反射面６１で反射されて第２面５２から出射しプリズムシートＰＳに到達する第１光源ＬＳ１からの光の角度と、第２反射面６２で反射されて第２面５２から出射しプリズムシートＰＳに到達する第２光源ＬＳ２からの光の角度とが実質的に等しくなる。これにより、各光源ＬＳ１，ＬＳ２からの光が同等の条件で表示パネルＰＮＬに供給されるので、画像における輝度むらを抑制できる。
【００４４】
図９の例においては、第１反射構造６０−１〜６０−６のいずれにおいても、第１反射面６１が角度θａで傾き、第２反射面６２が角度θｂで傾いている。また、第１反射構造６０−１〜６０−６の平坦面６３の第１方向Ｘにおける幅が同じである。
【００４５】
第１反射面６１の第１方向Ｘにおける幅Ｗ１および第２反射面６２の第１方向Ｘにおける幅Ｗ２は、各反射構造６０−１〜６０−６で異なっている。すなわち、第１部分Ｐ１に近い第１反射面６１ほど幅Ｗ１が小さく、第２部分Ｐ２に近い第１反射面６１ほど幅Ｗ１が大きい。反対に、第２部分Ｐ２に近い第２反射面６２ほど幅Ｗ２が小さく、第１部分Ｐ１に近い第２反射面６２ほど幅Ｗ２が大きい。
【００４６】
他の観点からいうと、複数の第１反射面６１の面積は、第１部分Ｐ１から第２部分Ｐ２に近づくに連れて大きくなる。反対に、複数の第２反射面６２の面積は、第２部分Ｐ２から第１部分Ｐ１に近づくに連れて大きくなる。
【００４７】
また、本実施形態においては第１反射構造６０−１〜６０−６の平坦面６３が一定であることから、第１面５１における複数の第１反射面６１の密度は、第１部分Ｐ１から第２部分Ｐ２に近づくに連れて大きくなる。反対に、第１面５１における複数の第２反射面６２の密度は、第２部分Ｐ２から第１部分Ｐ１に近づくに連れて大きくなる。
【００４８】
他の観点からいうと、第１反射構造６０が中心Ｃよりも第１端部５３側にある場合、当該第１反射構造６０においては第１反射面６１の面積が第２反射面６２の面積よりも小さい。また、第１反射構造６０が中心Ｃよりも第２端部５４側にある場合、当該第１反射構造６０においては第２反射面６２の面積が第１反射面６１の面積よりも小さい。
【００４９】
図１０は、複数の第２反射構造７０を拡大した第１部分Ｐ１の断面図である。ここでは、第１方向Ｘに並ぶ２つの第２反射構造７０−１，７０−２を示している。例えば、各第２反射構造７０は、図示した断面形状を有して第２方向Ｙに延在している。
【００５０】
第２反射構造７０は、第３反射面７１と、平坦面７２とを有している。第３反射面７１は、図１０の断面の右方にある第２端部５４に対向する平面であり、第２光源ＬＳ２からの光を第２面５２に向けて反射する。平坦面７２は、例えば第２面５２と平行であり、各光源ＬＳ１，ＬＳ２からの光を、第２面５２で全反射される浅い角度で反射する。図１０の例において、第２反射構造７０は、第１端部５３に対向する反射面を有していない。
【００５１】
第３反射面７１は、平坦面７２（または第２面５２）に対して鈍角である角度θｃで傾いている。第３反射面７１の第１方向Ｘにおける幅Ｗ３は、各反射構造７０で異なってもよい。導光板ＬＧが薄い領域ほど、第２光源ＬＳ２からの光が第１面５１および第２面５２で反射される回数が多い。そのため、各第３反射面７１の面積が同じであると、第１端部５３に近い第３反射面７１ほど第２光源ＬＳ２からの光を多く反射し、第２面５２に輝度むらが生じ得る。そこで、第１端部５３に近い第３反射面７１ほど幅Ｗ３を小さくしてもよい。
【００５２】
図１１は、複数の第３反射構造８０を拡大した第２部分Ｐ２の断面図である。ここでは、第１方向Ｘに並ぶ２つの第３反射構造８０−１，８０−２を示している。例えば、各第３反射構造８０は、第２方向Ｙのいずれの位置においても図示した断面形状を有している。
【００５３】
第３反射構造８０は、第４反射面８１と、平坦面８２とを有している。第４反射面８１は、図１１の断面の左方にある第１端部５３に対向する平面であり、第１光源ＬＳ１からの光を第２面５２に向けて反射する。平坦面８２は、例えば第２面５２と平行であり、各光源ＬＳ１，ＬＳ２からの光を、第２面５２で全反射される浅い角度で反射する。図１１の例において、第３反射構造８０は、第２端部５４に対向する反射面を有していない。
【００５４】
図１１に示す第２部分Ｐ２の断面形状は、図１０に示した第１部分Ｐ１の断面形状を左右反転したものに相当する。そのため、第４反射面８１と平坦面８２とが成す角度θｄおよび第４反射面８１の幅Ｗ４に適用し得る条件の説明は省略する。
【００５５】
続いて、図８に示した輝度変化のグラフに基づき、本実施形態の効果について説明する。本実施形態においては、中央部分ＣＰに複数の第１反射面６１が設けられ、しかもこれら第１反射面６１の面積が第２部分Ｐ２に近づくに連れて大きくなる。そのため、これら第１反射面６１で反射されて第２面５２から出射する光Ｌ１の輝度は、図５に示したように急峻に変化せず、中央部分ＣＰの図中左端から右端にかけて緩やかに上昇する。
【００５６】
同様に、本実施形態においては、中央部分ＣＰに複数の第２反射面６２が設けられ、しかもこれら第２反射面６２の面積が第１部分Ｐ１に近づくに連れて大きくなる。そのため、これら第２反射面６２で反射されて第２面５２から出射する光Ｌ２の輝度についても、中央部分ＣＰの図中右端から左端にかけて緩やかに上昇する。
【００５７】
このように本実施形態において、中央部分ＣＰは、第１端部５３側から第２端部５４側に向かって第１光源ＬＳ１からの光Ｌ１が第２面５２から出射する際の輝度が順次高くなり、且つ第２端部５４側から第１端部５３側に向かって第２光源ＬＳ２からの光Ｌ２が第２面５２から出射する際の輝度が順次高くなる輝度傾斜特性を有する。
【００５８】
ここで、光Ｌ１の輝度分布が矢印Ｄ１で示す方向に僅かにずれ、光Ｌ２の輝度分布が矢印Ｄ２で示す方向に僅かにずれた場合を想定する。図５の例においては、このようなずれにより、合成光Ｌが中心Ｃとその近傍において急峻に低下した。しかしながら、図８の例においては、光Ｌ１，Ｌ２の輝度が中央部分ＣＰで緩やかに変化しているため、合成光Ｌの輝度は破線Ｌａで示すように僅かに低下するにとどまる。したがって、図７に示したような暗線の発生が抑制される。
【００５９】
また、光Ｌ１，Ｌ２の輝度分布が反対方向にずれた場合も、合成光Ｌの輝度は破線Ｌｂで示すように僅かに上昇するにとどまる。したがって、中心Ｃとその近傍における明線の発生も抑制される。
【００６０】
また、第１光源ＬＳ１が放つ光がレーザー光であるため、第１部分Ｐ１においては図４に示したように当該光が通過しない領域ＮＡが生じる。仮に第１部分Ｐ１において第１光源ＬＳ１からの光が出射すると、領域ＮＡに応じた輝度むらが生じる。これに対し、本実施形態では、第１部分Ｐ１において、第１面５１が第１端部５３に対向する反射面を有していない。したがって、第１部分Ｐ１においては第１光源ＬＳ１からの光が第２面５２からあまり出射しないので、上記輝度むらが抑制される。
【００６１】
同様に、本実施形態では、第２部分Ｐ２において第１面５１が第２端部５４に対向する反射面を有していない。したがって、第２光源ＬＳ２からの光に起因した第２部分Ｐ２における輝度むらが抑制される。
【００６２】
また、このように良好な輝度分布を実現できる照明装置３を用いることで、表示装置１の表示品位を高めることができる。以上の他にも、本実施形態からは種々の好適な効果を得ることができる。
【００６３】
［第２実施形態］  
第１反射構造６０の形状は、図９に示したものに限られない。図１２は、第２実施形態における中央部分ＣＰの断面図である。図９の例において、第１反射構造６０は、平坦面６３が頂面となるように下方に向けて突出した形状であった。これに対し、図１２の例における第１反射構造６０は、平坦面６３が底面となるように上方（第２面５２に向かう方向）に窪んだ形状である。
【００６４】
この場合であっても、第１実施形態と同様の効果を得ることができる。その他にも、中央部分ＣＰにおける第１面５１の形状は、種々の態様に変形することができる。
【００６５】
［第３実施形態］  
照明装置３は、第１面５１から漏れる光を導光板ＬＧに戻す反射部材を備えてもよい。図１３は、反射部材を備えた照明装置３の一例を示す断面図である。この照明装置３は、第１面５１に対向する平板状の反射部材９０を備えている。反射部材９０としては、例えば金属材料で構成されたシート材を用いることができる。
【００６６】
図１４は、反射部材９０を備えた照明装置３の他の例を示す断面図である。この図の例において、反射部材９０は、第１領域９１と、第２領域９２とを有している。第１領域９１は、第１部分Ｐ１における第１面５１と平行である。第２領域９２は、第２部分Ｐ２における第１面５１と平行である。第１領域９１は、第１部分Ｐ１および中央部分ＣＰの左半分と対向する。第２領域９２は、第２部分Ｐ２および中央部分ＣＰの右半分と対向する。
【００６７】
図１５は、反射部材９０を備えた照明装置３のさらに他の例を示す断面図である。この図の例において、反射部材９０は、第１領域９１と、第２領域９２と、第３領域９３とを有している。第３領域９３は、中央部分ＣＰにおける第１面５１と平行である。第１領域９１、第２領域９２および第３領域９３は、それぞれ第１部分Ｐ１、第２部分Ｐ２および中央部分ＣＰと対向する。なお、中央部分ＣＰにおける第１面５１が図９に示したように平面状でない場合、第３領域９３は、当該第１面５１に沿う曲面であってもよい。
【００６８】
以上のような反射部材を設ければ、第１面５１から漏れる光を有効活用し、第２面５２の輝度を高めることができる。これにより、照明装置３の省電力化や、表示装置１の画質向上が期待できる。
【００６９】
［第４実施形態］  
図１６は、第４実施形態に係る照明装置３の概略的な断面図である。この照明装置３は、導光板ＬＧと、第１光源ＬＳ１と、反射部材９０とを備えている。本実施形態において、第１端部５３は、入射面５３ａと、側面５３ｂとを含む。導光板ＬＧ及び反射部材９０には、上述した各実施形態の構成を適用できる。
【００７０】
入射面５３ａは、第２面５２に対して角度θｉｎで傾斜している。角度θｉｎは、上述の第１角度θ１よりも大きい鋭角である（θ１＜θｉｎ＜９０°）。側面５３ｂは、例えばＹ−Ｚ平面と平行な平面である。なお、図１６の例では入射面５３ａが平面であるが、入射面５３ａは曲面であってもよい。また、第１端部５３は、側面５３ｂを有していなくてもよい。
【００７１】
第１光源ＬＳ１が光を照射する方向である第１照射方向ＤＬ１は、第１主面５１に対して傾斜している。すなわち本実施形態では、断面視において、第１照射方向ＤＬ１が第１方向Ｘと一致しない。但し、平面視の場合には、第１照射方向ＤＬ１と第１方向Ｘとが一致する。
【００７２】
第１光源ＬＳ１は、導光板ＬＧの厚さ方向（第３方向Ｚ）において、導光板ＬＧと重なっている。図１６の例では、第１光源ＬＳ１の全てが導光板ＬＧと重なっているが、第１光源ＬＳ１の一部が導光板ＬＧと重なってもよい。
【００７３】
以上の構成であっても、上述の各実施形態と同様の効果を得ることができる。また、導光板ＬＧの下方のスペースに第１光源ＬＳ１を配置することで、照明装置３ないし表示装置１の小型化や、額縁領域の狭小化を実現できる。  
なお、第２端部５４および第２光源ＬＳ２についても、本実施形態にて開示した第１端部５３および第１光源ＬＳ１と同様の構成を適用できる。
【００７４】
［第５実施形態］  
図１７は、第５実施形態に係る照明装置３の概略的な断面図である。この照明装置３は、導光板ＬＧと、第１光源ＬＳ１と、反射部材９０とを備えている。導光板ＬＧ及び反射部材９０には、上述した各実施形態の構成を適用できる。
【００７５】
第１光源ＬＳ１は、導光板ＬＧの厚さ方向（第３方向Ｚ）において、導光板ＬＧと重なっている。図１７の例では、第１光源ＬＳ１の全てが導光板ＬＧと重なっているが、第１光源ＬＳ１の一部が導光板ＬＧと重なってもよい。
【００７６】
さらに、照明装置３は、第１端部５３の近傍に配置された屈曲体１００を備えている。図１７に示した屈曲体１００は、Ｘ−Ｚ断面における形状が三角形であり、第２方向Ｙに延在するプリズムである。具体的には、屈曲体１００は、第１面１０１と、第２面１０２と、第３面１０３とを有している。一例として、屈曲体１００は、図３に示したように第２方向Ｙに並ぶ複数の第１光源ＬＳ１のそれぞれに対して１つずつ設けられてもよい。また、屈曲体１００は、２つ以上の第１光源ＬＳ１に対して１つずつ設けられてもよいし、全ての第１光源ＬＳ１に対して１つ設けられてもよい。
【００７７】
第１面１０１は、入射領域１０１ａと、出射領域１０１ｂとを有している。入射領域１０１ａは、第１光源ＬＳ１と対向している。出射領域１０１ｂは、導光板ＬＧの第１端部５３と対向している。図１７の例では、第１面１０１が第３方向Ｚと平行であるが、第１面１０１は第３方向Ｚに対して傾いていてもよい。第２面１０２および第３面１０３は、第１面１０１に対して所定の角度で傾いている。
【００７８】
第１光源ＬＳ１が発する光は、入射領域１０１ａから屈曲体１００に入射する。この入射した光は、第２面１０２で反射され、さらに第３面１０３で反射されて、出射領域１０１ｂから出射する。この出射した光は、第１照射方向ＤＬ１に沿って導光板ＬＧの第１端部５３に照射され、導光板ＬＧの各面５１，５２で反射されながら導光板ＬＧを伝播する。このように、本実施形態においては、第１光源ＬＳ１が発した光の光路が屈曲体１００にて第１照射方向ＤＬ１に屈曲され、導光板ＬＧに入射する。
【００７９】
以上の構成であっても、上述の各実施形態と同様の効果を得ることができる。また、本実施形態のように屈曲体１００を用いることで、第１光源ＬＳ１の配置位置の自由度が高まる。したがって、例えば図１７のように導光板ＬＧの下方のスペースに第１光源ＬＳ１を配置することで、照明装置３ないし表示装置１の小型化や、額縁領域の狭小化を実現できる。
【００８０】
なお、図１７においては屈曲体１００がプリズムである例を示したが、屈曲体１００は第２面１０２および第３面１０３に相当する形状の反射部材（ミラー部材）であってもよい。
【００８１】
また、屈曲体１００は、第１光源ＬＳ１からの光を１回のみ反射して第１端部５３に照射する構造であってもよいし、３回以上反射して第１端部５３に照射する構造であってもよい。
【００８２】
本実施形態において第１光源ＬＳ１の近傍について述べた構成は、第２光源ＬＳ２の側についても同様に適用することができる。
【００８３】
以上、本発明の実施形態として説明した照明装置および表示装置を基にして、当業者が適宜設計変更して実施し得る全ての照明装置および表示装置も、本発明の要旨を包含する限り、本発明の範囲に属する。
【００８４】
本発明の思想の範疇において、当業者であれば、各種の変形例に想到し得るものであり、それら変形例についても本発明の範囲に属するものと解される。例えば、上述の各実施形態に対して、当業者が適宜、構成要素の追加、削除、若しくは設計変更を行ったもの、または、工程の追加、省略若しくは条件変更を行ったものも、本発明の要旨を備えている限り、本発明の範囲に含まれる。
【００８５】
また、各実施形態において述べた態様によりもたらされる他の作用効果について、本明細書の記載から明らかなもの、または当業者において適宜想到し得るものについては、当然に本発明によりもたらされるものと解される。
【符号の説明】
【００８６】
１…表示装置、２…表示パネル、３…照明装置、ＳＵＢ１…第１基板、ＳＵＢ２…第２基板、ＬＣ…液晶層、ＤＡ…表示領域、ＬＧ…導光板、ＰＳ…プリズムシート、ＤＳ…拡散シート、５１…第１面、５２…第２面、５３…第１端部、５４…第２端部、ＣＰ…中央部分、Ｐ１…第１部分、Ｐ２…第２部分、６０…第１反射構造、７０…第２反射構造、８０…第３反射構造、ＬＳ１…第１光源、ＬＳ２…第２光源、９０…反射部材。
【図１】
2020113427.tif 000003
【図２】
2020113427.tif 000004
【図３】
2020113427.tif 000005
【図４】
2020113427.tif 000006
【図５】
2020113427.tif 000007
【図６】
2020113427.tif 000008
【図７】
2020113427.tif 000009
【図８】
2020113427.tif 000010
【図９】
2020113427.tif 000011
【図１０】
2020113427.tif 000012
【図１１】
2020113427.tif 000013
【図１２】
2020113427.tif 000014
【図１３】
2020113427.tif 000015
【図１４】
2020113427.tif 000016
【図１５】
2020113427.tif 000017
【図１６】
2020113427.tif 000018
【図１７】
2020113427.tif 000019